(57)【要約】【課題】照明装置において、プリズムシートの外形形状に制限を加えることなく、プリズムシートの変形を防止する。【解決手段】照明装置は、少なくとも一方の面に所定方向に延在する稜線を有し、第１縁辺、及び第１縁辺と交差する第２縁辺とを備えるプリズムシートと、前記第１縁辺に沿う第１側壁、及び前記第２縁辺に沿う第２側壁とを備え、プリズムシートを収容する枠体と、を備える。特に、この照明装置では、前記第１縁辺の長さと前記第１側壁の長さの差と、前記第２縁辺の長さと前記第２側壁の長さの差と、が異なる。好適な例では、前記所定方向のベクトル成分は、前記第１縁辺方向において前記第２縁辺方向より大きく、前記第１縁辺の長さと前記第１側壁の長さの差が、前記第２縁辺の長さと前記第２側壁の長さの差より大きい。【選択図】図２
2010073458.tif 000002
【特許請求の範囲】
【請求項１】
少なくとも一方の面に所定方向に延在する稜線を有し、第１縁辺および前記第１縁辺と交差する第２縁辺とを備えてなるプリズムシートと、
前記第１縁辺に沿う第１側壁、および前記第２縁辺に沿う第２側壁を備え、前記プリズムシートを収容する枠体と、を備え、
前記第１縁辺の長さと前記第１側壁の長さの差と、前記第２縁辺の長さと前記第２側壁の長さの差と、が異なることを特徴とする照明装置。
【請求項２】
前記所定方向のベクトル成分は、前記第１縁辺方向において前記第２縁辺方向より大きく、前記第１縁辺の長さと前記第１側壁の長さの差が、前記第２縁辺の長さと前記第２側壁の長さの差より大きいことを特徴とする請求項１に記載の照明装置。
【請求項３】
少なくとも一方の面に第１方向に延在する第１稜線を有し、第１縁辺および前記第１縁辺と交差する第２縁辺とを備えてなる第１プリズムシートと、
少なくとも一方の面に第２方向に延在する第２稜線を有し、第３縁辺および前記第３縁辺と交差する第４縁辺とを備える第２プリズムシートと、
前記第１プリズムシートおよび前記第２プリズムシートを収容する枠体と、を具備し、
前記第１プリズムシートと前記第２プリズムシートとは、前記第１方向と前記第２方向とが交差し、且つ前記第１縁辺が前記第３縁辺に、前記第２縁辺が前記第４縁辺に、それぞれ沿うように平面的に重なって配置され、前記第１縁辺と前記第３縁辺の長さが互いに異なることを特徴とする照明装置。
【請求項４】
前記第１方向のベクトルのベクトル成分は、前記第１縁辺方向において前記第２縁辺方向より大きく、前記第２方向のベクトルのベクトル成分は、前記第４縁辺方向において前記第３縁辺方向より大きく、前記第１縁辺が前記第３縁辺より短いことを特徴とする請求項３に記載の照明装置。
【請求項５】
前記第４縁辺が前記第２縁辺より短いことを特徴とする請求項４に記載の照明装置。
【請求項６】
請求項１又は請求項２のうち、いずれかに記載の照明装置と、前記枠体に収容される電気光学パネルを具備し、前記枠体の内壁から前記電気光学パネルの有効表示領域までの距離が、前記第１縁辺の長さと前記第１側壁の長さの差、および前記第２縁辺の長さと前記第２側壁の長さの差よりも大きいことを特徴とする電気光学装置。
【請求項７】
請求項３乃至請求項５のうち、いずれかに記載の照明装置と、電気光学パネルを具備し、前記電気光学パネルの外縁から有効表示領域までの距離が、前記第１縁辺と前記第３縁辺の長さの差、および前記第２縁辺と前記第４縁辺の長さの差よりも大きいことを特徴とする電気光学装置。
【請求項８】
請求項６又は７に記載の電気光学装置を備えることを特徴とする電子機器。
【発明の詳細な説明】
【技術分野】
【０００１】
本発明は、電気光学装置に用いて好適な照明装置の構造に関する。
【背景技術】
【０００２】
現在、携帯電話機、携帯情報端末機、コンピュータディスプレイなどの電子機器において、映像を表示するために電気光学装置の一例としての液晶装置が広く用いられている。
【０００３】
このような液晶装置では、液晶表示パネルを背面側から照明して透過表示を行うために、その液晶表示パネルの背面側にバックライト装置（照明装置）が設けられる。
【０００４】
かかる照明装置として、例えば、光源と、光源からの光を液晶表示パネルに向けて導く導光板と、導光板上に配置された各種の光学シートとを有するエッジライト方式の照明装置が知られている。ここで、各種の光学シートとしては、例えば、プリズムシート、拡散シート、輝度向上シート等が挙げられる。これらの光学シートは導光板の発光側の面上に積層された状態で用いられる。
【０００５】
ところで、このような光学シートは、光源からの熱、或いは高温高湿下で用いられることなどによって、各光学シートに変形（歪、シワ、撓みなど）が生じてしまうことがある。このような変形が発生すると、各光学シートが液晶表示パネルの規定位置からズレてしまい、その結果、表示画面が部分的に明るく、或いは暗くなったりして、表示画面が見難くなり表示品質の低下を招く原因となる。なお、直下型方式の照明装置の場合にも、このような光学シートが搭載され、このような不具合が生じることがある。
【０００６】
そこで、このような各光学シートの変形を防止するために、光学シートの取付け方法を工夫した取付け構造が知られている（例えば、特許文献１乃至３を参照）。
【０００７】
特許文献１に記載の照明装置では、フレームのフランジに、複数の拡散シート、複数のプリズムシートが重なるように位置決めされ、さらにフレームのリブに導光板、反射シートが位置決めされている。そして、フレームのフランジとリブとの段差は、複数の拡散シートと複数のプリズムシートのシート総厚みより大きくなっている。また、複数の拡散シートと複数のプリズムシートの外形は、高温使用時の各部品の伸びを考え、リブと当たらないようにリブとの間に隙間を設けている。これにより、拡散シートやプリズムシートは、導光板を介してフレームに直接外周部が加圧されなくなるため、拡散シート、プリズムシート、導光板とフレームの熱膨張係数の差により、高温使用時、拡散シートやプリズムシートがたわむことがないとされている。
【０００８】
特許文献２に記載の照明装置では、光拡散板やプリズムシートとフレームとの間に隙間を設けることで、光拡散板やプリズムシートに無理な力が加わらないようにしている。
【０００９】
特許文献３に記載のバックライト装置は、第一方向における線膨張係数が第二方向の線膨張係数よりも大きい第一光学シートと、第一光学シートに隣接して配置される第二光学シートを備え、第一光学シートの第一方向における線膨張係数と、第二光学シートの第一方向に対応する方向における線膨張係数とを近似させている。これにより、静電気や熱によって、各光学シートにシワが形成されるのを防止するようにしている。
【００１０】
【特許文献１】特開平１０−１３３５８８号公報
【特許文献２】特開２０００−３４００１８号公報
【特許文献３】特開２００５−５０８０２号公報
【発明の開示】
【発明が解決しようとする課題】
【００１１】
ところで、上記の特許文献１に記載の照明装置では、上記した構成を採ることにより、各光学シートの大きさを導光板よりも一回り小さくしなければならないといった課題がある。
【００１２】
また、上記の特許文献２に記載の照明装置によれば、フレームと重なる方向への、光拡散板やプリズムシートの変形を考慮した構成になっているものの、光拡散板等の平面方向への、当該光拡散板等の変形を考慮した構成にはなっていない。このため、この照明装置において、熱により光拡散板等が伸張した場合には、フレームから受ける反力により光拡散板等に変形が生じてしまう虞がある。
【００１３】
また、上記の特許文献３に記載のバックライト装置は、上記した構成を採ることで各光学シートの選定に制限を加えることになり、最適な光学特性を有する光学シートを選定できなくなる虞がある。
【００１４】
本発明は、以上の点に鑑みてなされたものであり、光学部材（例えばプリズムシート）の外形形状に制限を加えることなく、光学部材の変形を防止することが可能な照明装置及びそれを用いた電気光学装置並びに電子機器を提供することを課題とする。
【課題を解決するための手段】
【００１５】
本発明の１つの観点では、照明装置は、少なくとも一方の面に所定方向に延在する稜線を有し、第１縁辺および前記第１縁辺と交差する第２縁辺とを備えてなるプリズムシートと、前記第１縁辺に沿う第１側壁、および前記第２縁辺に沿う第２側壁を備え、前記プリズムシートを収容する枠体と、を備え、前記第１縁辺の長さと前記第１側壁の長さの差と、前記第２縁辺の長さと前記第２側壁の長さの差と、が異なる。
【００１６】
上記の照明装置は、プリズムシートと枠体を備える。プリズムシートは、少なくとも一方の面に所定方向に延在する稜線を有し、第１縁辺および前記第１縁辺と交差する第２縁辺とを備えてなる。枠体は、前記第１縁辺に沿う第１側壁、および前記第２縁辺に沿う第２側壁を備え、プリズムシートを収容する。
【００１７】
ここで、この照明装置を高温高湿の状況下で用いた場合、通常、プリズムシートは所定方向に延在する稜線の延在方向に伸張し易くなる。そこで、前記所定方向に沿ったベクトルから、前記第１縁辺方向のベクトル成分及び前記第２縁辺方向のベクトル成分を求めておけば、プリズムシートの前記第１縁辺における伸張量、及びプリズムシートの前記第２縁辺における伸張量の相対的な大きさがわかる。そして、この場合に、プリズムシートの前記第１縁辺及び前記第２縁辺の相対的な伸張量が異なるのであれば、これに応じて、前記第１縁辺の長さと前記第１側壁の長さの差と、前記第２縁辺の長さと前記第２側壁の長さの差と、を異ならせる。
【００１８】
そうすることにより、この照明装置を高温高湿の状況下で用いてプリズムシートが伸張した場合でも、上記のようにプリズムシートと枠体との相対的な大きさが適切に設定されることで、当該プリズムシートが枠体に接触又は干渉しなくなる。よって、プリズムシートの外形形状に制限を加えることなく、プリズムシートと枠体との接触又は干渉による、プリズムシートの変形（歪、撓み、シワなど）を防止できる。また、この状態から常温常湿の状況下に戻った場合でも、プリズムシートは変形することなく元のサイズに戻る。よって、この照明装置を、電気光学パネルを備える電気光学装置に適用した場合には、プリズムシートの変形による、電気光学パネルの表示品位の低下を防止することができる。
【００１９】
好適な例では、前記所定方向のベクトル成分は、前記第１縁辺方向において前記第２縁辺方向より大きく、前記第１縁辺の長さと前記第１側壁の長さの差が、前記第２縁辺の長さと前記第２側壁の長さの差より大きい。
【００２０】
この態様によれば、プリズムシートは前記第１縁辺方向の伸張量が前記第２縁辺方向の伸張量より大きくなる。よって、前記第１縁辺の長さと前記第１側壁の長さの差を、前記第２縁辺の長さと前記第２側壁の長さの差より大きくすることで、当該プリズムシートが枠体に接触又は干渉しなくなる。その結果、プリズムシートと枠体との接触又は干渉による、プリズムシートの変形を防止できる。
【００２１】
本発明の他の観点では、照明装置は、少なくとも一方の面に第１方向に延在する第１稜線を有し、第１縁辺および前記第１縁辺と交差する第２縁辺とを備えてなる第１プリズムシートと、少なくとも一方の面に第２方向に延在する第２稜線を有し、第３縁辺および前記第３縁辺と交差する第４縁辺とを備える第２プリズムシートと、前記第１プリズムシートおよび前記第２プリズムシートを収容する枠体と、を具備し、前記第１プリズムシートと前記第２プリズムシートとは、前記第１方向と前記第２方向とが交差し、且つ前記第１縁辺が前記第３縁辺に、前記第２縁辺が前記第４縁辺に、それぞれ沿うように平面的に重なって配置され、前記第１縁辺と前記第３縁辺の長さが互いに異なる。
【００２２】
上記の照明装置は、第１プリズムシート、第２プリズムシート及び枠体を具備する。第１プリズムシートは、少なくとも一方の面に第１方向に延在する第１稜線を有し、第１縁辺および前記第１縁辺と交差する第２縁辺とを備えてなる。第２プリズムシートは、少なくとも一方の面に第２方向に延在する第２稜線を有し、第３縁辺および前記第３縁辺と交差する第４縁辺とを備える。枠体は、第１プリズムシートおよび第２プリズムシートを収容する。好適な例では、枠体は、前記第１縁辺及び前記第３縁辺に沿う第１側壁、並びに前記第２縁辺及び前記第４縁辺に沿う第２側壁とを、備える。
【００２３】
ここで、この照明装置を高温高湿の状況下で用いた場合、通常、第１プリズムシートは第１方向に延在する第１稜線の延在方向に伸張し易くなると共に、第２プリズムシートは第２方向に延在する第２稜線の延在方向に伸張し易くなる。そこで、第１プリズムシートにおいて、第１方向に沿ったベクトルから、前記第１縁辺方向のベクトル成分及び前記第２縁辺方向のベクトル成分を求めておけば、第１プリズムシートの前記第１縁辺における伸張量、及び第１プリズムシートの前記第２縁辺における伸張量の相対的な大きさがわかる。同様に、第２プリズムシートにおいて、第２方向に沿ったベクトルから、前記第３縁辺方向のベクトル成分及び前記第４縁辺方向のベクトル成分を求めておけば、第２プリズムシートの前記第３縁辺における伸張量、及び第２プリズムシートの前記第４縁辺における伸張量の相対的な大きさがわかる。そして、この場合に、第１プリズムシートの前記第１縁辺及び第２プリズムシートの前記第３縁辺の相対的な伸張量が異なるのであれば、これに応じて、枠体の大きさとの関係において、第１プリズムシートの前記第１縁辺と、第２プリズムシートの前記第３縁辺の長さを互いに異ならせる。
【００２４】
好適な例では、前記第１方向のベクトルのベクトル成分は、前記第１縁辺方向において前記第２縁辺方向より大きく、前記第２方向のベクトルのベクトル成分は、前記第４縁辺方向において前記第３縁辺方向より大きく、前記第１縁辺が前記第３縁辺より短い。また、前記第４縁辺が前記第２縁辺より短い。
【００２５】
そうすることにより、この照明装置を高温高湿の状況下で用いて第１及び第２プリズムシートが伸張した場合でも、第１及び第２プリズムシートと枠体との相対的な大きさを適切に設定することで、当該プ第１及び第２プリズムシートが枠体に接触又は干渉しなくなる。よって、第１及び第２プリズムシートの外形形状に制限を加えることなく、第１及び第２プリズムシートと枠体との接触又は干渉による、第１及び第２プリズムシートの変形（歪、撓み、シワなど）を防止できる。また、この状態から常温常湿の状況下に戻った場合でも、第１及び第２プリズムシートは変形することなく元のサイズに戻る。よって、この照明装置を、電気光学パネルを備える電気光学装置に適用した場合には、第１及び第２プリズムシートの変形による、電気光学パネルの表示品位の低下を防止することができる。
【００２６】
本発明の更に他の観点では、電気光学装置は、上記のいずれかに記載の照明装置と、前記枠体に収容される電気光学パネルを具備し、前記枠体の内壁から前記電気光学パネルの有効表示領域までの距離が、前記第１縁辺の長さと前記第１側壁の長さの差、および前記第２縁辺の長さと前記第２側壁の長さの差よりも大きい。或いは、電気光学装置は、上記のいずれかに記載の照明装置と、電気光学パネルを具備し、前記電気光学パネルの外縁から有効表示領域までの距離が、前記第１縁辺と前記第３縁辺の長さの差、および前記第２縁辺と前記第４縁辺の長さの差よりも大きい。これらによれば、プリズムシート、又は第１プリズムシート及び第２プリズムシートを、確実に有効表示領域と平面的に重ならせることができる。
【００２７】
本発明の更に他の観点では、照明装置は、平面領域における第１の方向と第２の方向とで異なる伸び率を有する光学部材と、前記光学部材の外周面と間隙を介して対向する内周面を有する枠状の部材と、を備え、前記第１の方向における前記間隙の幅は、前記第２の方向における前記間隙の幅と異なる。
【００２８】
上記の照明装置は、平面領域における第１の方向（例えば長辺方向）と第２の方向（例えば短辺方向）とで異なる伸び率（又は伸張量）を有する光学部材と、光学部材の外周面と間隙（又は隙間）を介して対向する内周面を有する枠状の部材と、を備える。ここで、光学部材としては、プリズムシート、拡散シートなどが挙げられる。
【００２９】
特に、この照明装置では、第１の方向における間隙の幅は、第２の方向における間隙の幅と異なる。好適な例では、前記間隙の幅は、外的要因により前記光学部材が伸張した場合に、前記伸張した光学部材が前記枠状の部材に接触しない大きさを有する。
【００３０】
この構成によれば、高温高湿の状況下で照明装置を用いた場合、光学部材は伸張するが、その場合でも、当該光学部材の外周部は、間隙内に位置するに留まり、枠状の部材と接触又は干渉することはない。よって、光学部材の外形形状に制限を加えることなく、光学部材と枠状の部材との接触又は干渉による、光学部材の変形（歪、撓み、シワなど）を防止できる。また、この状態から常温常湿の状況下に戻った場合でも、光学部材は変形することなく元のサイズに戻る。よって、この照明装置を、電気光学パネルを備える電気光学装置に適用した場合には、光学部材の変形による、電気光学パネルの表示品位の低下を防止することができる。
【００３１】
好適な例では、前記光学部材において、前記第１の方向の伸び率（又は伸張量）は、前記第２の方向の伸び率（又は伸張量）より大きく、前記第１の方向における前記間隙の幅は、前記第２の方向における前記間隙の幅より大きい。または、前記光学部材において、前記第１の方向の線膨張係数は、前記第２の方向の線膨張係数より大きい。
【００３２】
上記の照明装置の一つの態様では、前記光学部材は複数重ねて配置され、前記第１の方向における前記間隙の幅は、前記複数の前記光学部材のうち、前記第１の方向への前記伸び率又は前記線膨張係数が最も大きい光学部材が外的要因により伸張した場合に、当該伸張した光学部材が前記枠状の部材に接触しない大きさを有し、前記第２の方向における前記間隙の幅は、前記複数の前記光学部材のうち、前記第２の方向への前記伸び率又は前記線膨張係数が最も大きい光学部材が外的要因により伸張した場合に、当該伸張した光学部材が前記枠状の部材に接触しない大きさを有する。
【００３３】
上記の照明装置の他の態様では、前記間隙は、前記枠状の部材の前記内周面の一部を切り欠くことで形成される。
【００３４】
この態様によれば、間隙を形成するために、枠状の部材の内周面を必要以上に切り欠く必要がなくなるので、照明装置の剛性又は強度が低下するのを防止できると共に、照明装置と電気光学パネルとの固定領域（相互に固定するための接触領域）が減少することを防止できる。その結果、落下などの衝撃に対する照明装置及び電気光学装置の強度低下を防止できる。また、間隙の幅は、必要以上に大きく設定されないので、間隙から光漏れが生じることによる輝度低下を抑制することができる。
【００３５】
上記の照明装置の他の態様では、前記光学部材は断面三角形状のプリズムを有するプリズムシートであり、前記第１の方向は前記プリズムの稜線の延在方向であり、前記第２の方向は前記プリズムの稜線の延在方向と交差する方向である。
【００３６】
上記の照明装置の他の態様では、前記光学部材には、第１のプリズムシートと、前記第１のプリズムシートに重ねて配置された第２のプリズムシートと、が含まれ、前記第１のプリズムシート及び前記第２のプリズムシートにおいて、前記第１の方向の前記伸び率又は前記線膨張係数が大きい方のプリズムシートの外周面は、前記第１の方向の前記伸び率又は前記線膨張係数の小さい方のプリズムシートの外周面より内側に位置していると共に、前記第２の方向の前記伸び率又は前記線膨張係数が大きい方のプリズムシートの外周面は、前記第２の方向の前記伸び率又は前記線膨張係数の小さい方のプリズムシートの外周面より内側に位置している。
【００３７】
この態様によれば、第１のプリズムシート及び第２のプリズムシートにおいて、第１及び第２の方向の伸び率又は線膨張係数が大きい方の外周面をそれぞれ第１及び第２の方向の伸び率又は線膨張係数が小さい方の外周面よりも内側に位置させているので、必要以上に間隙の幅を大きくする必要がなくなる。よって、照明装置の剛性又は強度が低下するのをより防止できると共に、照明装置と電気光学パネルとの固定領域（相互に固定するための接触領域）がより減少することを防止できる。その結果、落下などの衝撃に対する照明装置及び電気光学装置の強度低下を防止できる。また、間隙の幅は、必要以上に大きく設定されないので、間隙から光漏れが生じることによる輝度低下をより抑制することができる。
【００３８】
本発明の更に他の観点では、一対の基板間に電気光学層を挟持してなる電気光学パネルと、電気光学パネルの一方の面側に配置された上記の何れかの照明装置と、を備える電気光学装置を構成することができる。
【００３９】
本発明の更に他の観点では、上記の何れかの電気光学装置を備える電子機器を構成することができる。
【発明を実施するための最良の形態】
【００４０】
以下、図面を参照して本発明を実施するための最良の形態について説明する。
【００４１】
[第１実施形態]
（液晶装置の構成）
まず、図１乃至図４を参照して、本発明の第１実施形態に係る照明装置５１を備える、電気光学装置の一例としての液晶装置１００の構成について説明する。
【００４２】
図１は、第１実施形態に係る照明装置５１を備える液晶装置１００をその表示側から見た平面図を示す。図２（ａ）は、図１の切断線Ａ−Ａ’に沿った、ドライバＩＣ７側とは逆側に位置する液晶装置１００の構成を示す要部断面図である。図２（ｂ）は、図１の切断線Ｂ−Ｂ’に沿った液晶装置１００の構成を示す要部断面図である。図２（ｃ）は、図１の切断線Ｃ−Ｃ’に沿った液晶装置１００の構成を示す要部断面図である。図３（ａ）は、照明装置５１を構成する第１のプリズムシート１４の構成を示す平面図である。図３（ｂ）は、照明装置５１を構成する第２のプリズムシート１５の構成を示す平面図である。  図４（ａ）は、図３（ａ）の切断線Ｄ−Ｄ’に沿った（第１のプリズムシート１４の各プリズム１４ｐの稜線１４ｐＬと直交する方向に沿った）、第１のプリズムシート１４の構成を示す断面図である。図４（ｂ）は、図３（ｂ）の切断線Ｅ−Ｅ’に沿った（第２のプリズムシート１５の各プリズム１５ｐの稜線１５ｐＬと直交する方向に沿った）、第２のプリズムシート１５の構成を示す断面図である。図５は、第２の支持部材（枠体）１６の平面図を示す。なお、図５では、説明の便宜上、第２の支持部材１６に対する、第１のプリズムシート１４及び第２のプリズムシート１５の配置位置も破線にて、また、液晶表示パネル５０の配置位置を二点鎖線にてそれぞれ示すこととする。
【００４３】
液晶装置１００は、液晶表示パネル５０と、通過する光を偏光する第１の偏光板５及び第２の偏光板６と、液晶表示パネル５０を照明する照明装置５１と、を備える。
【００４４】
液晶表示パネル５０は、第１の基板１と第２の基板２とを枠状のシール材３を介して貼り合わせ、シール材３で区画される領域内に、電気光学層の一例としての液晶層４を狭持して構成される。液晶表示パネル５０の液晶層４側の面上には、例えば、ブラックマトリックス、カラーフィルタ、電極その他の多くの構成要素がマトリクス状（格子状）又はストライプ状（線状）に形成されるが、図１ではそれらの要素の図示を省略している。そして、液晶表示パネル５０におけるシール材３の内側には、画像を表示するための有効表示領域Ｖが形成される。なお、液晶表示パネル５０において有効表示領域Ｖの外側の領域は非表示領域である。また、第１の基板１は、第２の基板２の一端２ｅから外側に張り出す領域１ｈを有し、その領域１ｈの第２の基板２側の面には、液晶層４を駆動するドライバＩＣ７や、ドライバＩＣ７に各種電気信号を供給する配線基板の一例としてのＦＰＣ（Flexible Printed Circuit）８などが実装されている。なお、本発明では、液晶表示パネル５０は、特定の構成に限定されず、周知の種々の構成を採り得る。
【００４５】
第１の偏光板５は、第１の基板１の液晶層４側とは逆側の面に配置されていると共に、第２の偏光板６は、第２の基板２の液晶層４側とは逆側の面に配置されている。
【００４６】
照明装置５１は、第１の支持部材１０と、反射シート１１と、図示しない光源と、導光板１２と、光学シート群７１と、第２の支持部材１６と、遮光テープ１７と、を備え、液晶表示パネル５０の表示側とは逆側に配置される。ここで、光学シート群７１には、拡散シート１３、第１のプリズムシート１４及び第２のプリズムシート１５が含まれる。
【００４７】
第１支持部材１０は、箱状の形状を有し、照明装置５１の各構成部材及び液晶表示パネル５０等を支持する。
【００４８】
反射シート１１は、光を反射するシート状の部材であり、第１支持部材１０の液晶表示パネル５０と対向する面に配置されている。図示しない光源としては、例えば発光ダイオードが挙げられ、当該光源は、図示を省略するが、導光板１２のドライバＩＣ７側の端面に対向する位置に配置される。導光板１２は、透明性を有する素材にて形成され、反射シート１１の第１の支持部材１０側とは逆側に且つ反射シート１１と対向する位置に配置されている。導光板１２は、図示しない光源から発光された光Ｌを拡散シート１３側に向けて導く役割を有する。拡散シート１３は、導光板１２の反射シート１１側とは逆側に且つ導光板１２と対向する位置に配置され、導光板１２から出光された光Ｌを第１のプリズムシート１４に向けて拡散させる役割を有する。
【００４９】
第１のプリズムシート１４は、拡散シート１３の導光板１２側とは逆側の面に重ねて配置され、拡散シート１３から出光された光Ｌを第２のプリズムシート１５に向けて集光させる役割を果たす。第１のプリズムシート１４は、例えば、図３（ａ）及び図４（ａ）に示すように、長辺（第１縁辺）１４Ｌ及び長辺１４Ｌと交差する短辺（第２縁辺）１４ｄを有する矩形状の平面形状を有する。また、第１のプリズムシート１４の第２のプリズムシート１５側には、断面三角形状及び三角柱形状のプリズム１４ｐが複数並列して形成されている。各プリズム１４ｐの稜線｛頂角α(任意の角度)に沿った線分であり、第１稜線に相当｝１４ｐＬは、長辺１４Ｌと平行な方向（第１方向）に延在している。
【００５０】
ここで、各プリズム１４ｐの稜線１４ｐＬの延在方向（第１方向）に沿ったベクトル１４ｖのベクトル成分は、長辺（第１縁辺）１４Ｌ方向において短辺（第２縁辺）１４ｄ方向より大きい。即ち、ベクトル１４ｖにおいて、その長辺（第１縁辺）１４Ｌ方向のベクトル成分を１４Ｘｖとし、また、その短辺（第２縁辺）１４ｄ方向のベクトル成分を１４Ｙｖとした場合、ベクトル成分１４Ｘｖ＞ベクトル成分１４Ｙｖ（＝０）である。
【００５１】
なお、この例では、複数のプリズム１４ｐは、第１のプリズムシート１４の一方の面側に形成されているが、これに限らず、本発明では、複数のプリズム１４ｐは、第１のプリズムシート１４の一方の面及び当該一方の面とは逆側である他方の面のうち、少なくとも何れかの面に形成されていてもよい。
【００５２】
第２のプリズムシート１５は、第１のプリズムシート１４の拡散シート１３側とは逆側に重ねて配置され、第１のプリズムシート１４から出光された光Ｌを液晶表示パネル５０側に向けて集光させる役割を果たす。第２のプリズムシート１５は、例えば、図３（ｂ）及び図４（ｂ）に示すように、長辺（第３縁辺）１５Ｌ及び長辺１５Ｌと交差する短辺（第４縁辺）１５ｄを有する矩形状の平面形状を有する。また、第２のプリズムシート１５の第１の偏光板５側には、断面三角形状及び三角柱形状のプリズム１５ｐが複数並列して形成されている。各プリズム１５ｐの稜線｛頂角β(任意の角度)に沿った線分であり、第２稜線に相当｝１５ｐＬは、短辺１５ｄと平行な方向（第２方向）に延在している。
【００５３】
ここで、各プリズム１５ｐの稜線１５ｐＬの延在方向（第２方向）に沿ったベクトル１５ｖのベクトル成分は、短辺（第４縁辺）１５ｄ方向において長辺（第３縁辺）１５Ｌ方向より大きい。即ち、ベクトル１５ｖにおいて、その長辺（第３縁辺）１５Ｌ方向のベクトル成分を１５Ｘｖとし、また、その短辺（第３縁辺）１５ｄ方向のベクトル成分を１５Ｙｖとした場合、ベクトル成分１５Ｙｖ＞ベクトル成分１５Ｘｖ（＝０）である。
【００５４】
また、第２のプリズムシート１５の長辺１５Ｌは、第１のプリズムシート１４の長辺１４Ｌと平行をなしていると共に、第２のプリズムシート１５の短辺１５ｄは、第１のプリズムシート１４の短辺１４ｄと平行をなしている。即ち、第２のプリズムシート１５は、第１のプリズムシート１４に対して、長辺（第１縁辺）１４Ｌが長辺（第３縁辺）１５Ｌに、また、短辺（第２縁辺）１４ｄが短辺（第４縁辺）１５ｄに、それぞれ沿うように平面的に重なって配置されている。そして、第２のプリズムシート１５の各プリズム１５ｐの稜線１５ｐＬと、第１のプリズムシート１４の各プリズム１４ｐの稜線１４ｐＬとは交差している。好適な例では、第２のプリズムシート１５の各プリズム１５ｐの稜線１５ｐＬと、第１のプリズムシート１４の各プリズム１４ｐの稜線１４ｐＬとの交差角は、略９０[°]とされる。
【００５５】
なお、この例では、複数のプリズム１５ｐは、第２のプリズムシート１５の一方の面側に形成されているが、これに限らず、本発明では、複数のプリズム１５ｐは、第２のプリズムシート１５の一方の面及び当該一方の面とは逆側である他方の面のうち、少なくとも何れかの面に形成されていてもよい。
【００５６】
第２の支持部材１６は、枠状の形状を有する枠体であり、第１のプリズムシート１４の長辺（第１縁辺）１４Ｌ及び第２のプリズムシート１５の長辺（第３縁辺）１５Ｌにそれぞれ沿う第１側壁１６ｓａと、第１のプリズムシート１４の短辺（第２縁辺）１４ｄ及び第２のプリズムシート１５の短辺（第４縁辺）１５ｄにそれぞれ沿う第２側壁１６ｓｂと、を有する。第１側壁１６ｓａの長さｘ３は、第１のプリズムシート１４の長辺（第１縁辺）１４Ｌの長さｘ１及び第２のプリズムシート１５の長辺（第３縁辺）１５Ｌの長さｘ２より長い。また、第２側壁１６ｓｂの長さｙ３は、第１のプリズムシート１４の短辺（第２縁辺）１４ｄの長さｙ１及び第２のプリズムシート１５の短辺（第４縁辺）１５ｄの長さｙ２より長い。以上の構成を有する第２の支持部材１６は、液晶表示パネル５０、導光板１２及び光学シート群７１を支持すると共に収容している。なお、第２の支持部材１６の詳細な構成については後述する。
【００５７】
遮光テープ１７は、枠状の形状を有し、光学シート群７１の外周部より外側であって、且つ液晶表示パネル５０の外周部と平面的に重なる位置に配置されている。遮光テープ１７は、照明装置５１からの不要な漏れ光を遮光して、液晶表示パネル５０の表示品位に悪影響を与えるのを防止する役割を有する。
【００５８】
以上の構成を有する液晶装置１００では、図示しない光源から出射された光Ｌは導光板１２内を伝播して、その伝播した光Ｌは、図２の矢印に示すように導光板１２の拡散シート１３側の面から出光する。なお、導光板１２内を伝播した光Ｌのうち一部の光は反射シート１１側の面から出光して反射シート１１により反射され、再び、その光は導光板１２内に戻される。そして、導光板１２から拡散シート１３に向けて出光した光Ｌは、光学シート群７１を通過して、さらに液晶表示パネル５０の表示領域に向けて進行する。この際、液晶表示パネル５０において液晶層４の液晶分子の配向が制御されて、所望の表示画像が観察者によって視認される。
【００５９】
（光学シートの変形防止構造）
次に、第１実施形態に係る光学シートの変形防止構造について説明する。
【００６０】
まず、その具体的な説明に先立ち、光学シートの変形によって液晶表示パネルに生じる不具合について簡単に述べる。
【００６１】
例えば、光学シートとしては、プリズムシート、拡散シートなどが挙げられる。このような光学シートは、外的要因（例えば、光源からの熱による温度上昇、高温高湿下における使用などの周囲環境要因）により平面方向に伸張する。このため、光学シートの外周面（外端面）が、例えば枠状の部材（例えばフレームなどの枠体）の内周面（内側の側壁）に当接した状態で支持された構成の場合、光学シートが伸張した際に枠状の部材と接触又は干渉して、光学シートに、歪、撓み、シワなどの変形が発生してしまう。特に、光学シートが水分を吸湿したような場合には、湿度が下った場合でも、その変形は長期間保持されてしまう。こういった変形が光学シートに生じると、光学シートが液晶表示パネルの規定位置からズレてしまい、その結果、表示画面が部分的に明るく、或いは暗くなったりして、表示画面が見難くなり表示品位の低下を招く原因となる。
【００６２】
そこで、本発明では、このような光学シートの変形防止を図るため、外的要因による光学シートの平面方向への伸張を阻害しないよう、光学シート群７１と、枠状の第２の支持部材１６との間に適切な大きさの間隙（又は隙間）を設ける。なお、ドライバＩＣ７側又は光源側に位置する光学シート群７１と、枠状の第２の支持部材１６との間には、通常、十分な間隙又は隙間があるので（図示略）、ドライバＩＣ７側又は光源側に位置する光学シート群７１の変形は生じないものとして説明する。ここで、間隙７０の幅は、光学シート群７１の外周面と、当該外周面に対面する枠状の第２の支持部材１６の内周面（第１側壁１６ｓａ又は第２側壁１６ｓｂ）までの距離に等しい。なお、この間隙７０の大きさは、光学シート群７１の平面方向への伸張量、伸び率及び線膨張係数、並びにそのサイズ、光学軸（例えば、プリズムの稜線など）などのパラメータを考慮して決定される。
【００６３】
具体的に、本発明では、光学シート群７１と、枠状の第２の支持部材１６の内周面との間に適切な大きさ（幅）の間隙７０が形成されるようにするため、第１のプリズムシート１４の長辺（第１縁辺）１４Ｌの長さと、第２の支持部材１６の第１側壁１６ｓａの長さとの差と、第１のプリズムシート１４の短辺（第２縁辺）１４ｄの長さと、第２の支持部材１６の第２側壁１６ｓｂの長さとの差をそれぞれ異ならせると共に、第２のプリズムシート１５の長辺（第３縁辺）１５Ｌの長さと、第２の支持部材１６の第１側壁１６ｓａの長さとの差と、第２のプリズムシート１５の短辺（第４縁辺）１５ｄの長さと、第２の支持部材１６の第２側壁１６ｓｂの長さとの差をそれぞれ異ならせる。なお、第１実施形態では、かかる間隙７０を形成するため、当該光学シート群７１に対向する枠状の第２の支持部材１６の内周面の一部に切り欠き部１６ｋを形成する。この間隙７０の幅（光学シート群７１の平面方向の長さ）は、上記した各パラメータを考慮して決定される。
【００６４】
例えば、光学シート群７１のうち、第１のプリズムシート１４及び第２のプリズムシート１５を例に採ると、その間隙７０の幅は、次のようにして決定する。
【００６５】
まず、第１のプリズムシート１４の場合、その長辺１４Ｌの長さをｘ１[ｍｍ]、その短辺１４ｄの長さをｙ１[ｍｍ]、その長辺１４Ｌ方向の線膨張係数をＫｘ１、その短辺１４ｄ方向の線膨張係数をＫｙ１（≠Ｋｘ１）、液晶装置１００の使用環境下における温度変化量（温度変化の差）をＶ[単位：（Ｋ）又は（℃）]とすると、第１のプリズムシート１４の長辺１４Ｌ方向の最大変位量ｔｘ１[ｍｍ]は、
ｔｘ１＝（Ｋｘ１  ×  ｘ１  ×  Ｖ）[ｍｍ]          （式１）
で表すことができる。なお、最大変位量とは、温度変化前後における、光学シートの長辺及び短辺の各最大変位量を指す。
【００６６】
また、第１のプリズムシート１４の短辺１４ｄ方向の最大変位量ｔｙ１[ｍｍ]は、
ｔｙ１＝（Ｋｙ１  ×  ｙ１  ×  Ｖ）[ｍｍ]          （式２）
で表すことができる。
【００６７】
そして、第１のプリズムシート１４において、長辺１４Ｌ方向の最大変位量が短辺１４ｄ方向の最大変位量に比べて大きい、即ちｔｘ１＞ｔｙ１であれば、第１のプリズムシート１４の長辺１４Ｌ方向の間隙７０の幅ｄｘ１は、第１のプリズムシート１４の短辺１４ｄ方向の間隙７０の幅ｄｙ１より大きく設定する。そうでないならば、即ちｔｘ１＜ｔｙ１ならば、第１のプリズムシート１４の短辺１４ｄ方向の間隙７０の幅ｄｙ１は、第１のプリズムシート１４の長辺１４Ｌ方向の間隙７０の幅ｄｘ１より大きく設定する。
【００６８】
同様に、第２のプリズムシート１５についても、その長辺１５Ｌの長さをｘ２[ｍｍ]、その短辺１５ｄの長さをｙ２[ｍｍ]、その長辺１５Ｌ方向の線膨張係数をＫｘ２、その短辺１４ｄ方向の線膨張係数をＫｙ２（≠Ｋｘ２）とすると、第２のプリズムシート１５の長辺１５Ｌ方向の最大変位量ｔｘ２[ｍｍ]は、
ｔｘ２＝（Ｋｘ２  ×  ｘ２  ×  Ｖ）[ｍｍ]          （式３）
で表すことができる。
【００６９】
また、第２のプリズムシート１５の短辺１５ｄ方向の最大変位量ｔｙ２[ｍｍ]は、
ｔｙ２＝（Ｋｙ２  ×  ｙ２  ×  Ｖ）[ｍｍ]          （式４）
で表すことができる。
【００７０】
そして、第２のプリズムシート１５において、ｔｘ２＞ｔｙ２であれば、第２のプリズムシート１５の長辺１５Ｌ方向の間隙７０の幅ｄｘ２は、第２のプリズムシート１５の短辺１５ｄ方向の間隙７０の幅ｄｙ２より大きく設定する。そうでないならば、即ちｔｘ２＜ｔｙ２ならば、第２のプリズムシート１５の短辺１５ｄ方向の間隙７０の幅ｄｙ２は、第２のプリズムシート１５の長辺１５Ｌ方向の間隙７０の幅ｄｘ２より大きく設定する。
【００７１】
この例のように、２枚以上の光学シートを用いる場合には、上記方法により算出される、それらの各光学シートの最大変位量の大きさを比較して、その中で最も大きい値を用いて長辺及び短辺の各方向の間隙７０の幅を設定する。この場合、長辺方向の変位量が最も大きい光学シートが最大限伸張した場合に、当該光学シートが枠状の第２の支持部材１６と接触しない大きさに設定される。同様に、短辺方向の変位量が最も大きい光学シートが最大限伸張した場合に、当該光学シートが枠状の第２の支持部材１６と接触しない大きさに設定される。
【００７２】
そこで、上記の例では、ｔｘ１とｔｘ２との値を比較して、そのうち大きい方の値を用いて、第１のプリズムシート１４の長辺１４Ｌ方向（又は第２のプリズムシート１５の長辺１５Ｌ方向）の間隙７０の幅を設定する。例えば、この場合、第１のプリズムシート１４の長辺１４Ｌ方向（又は第２のプリズムシート１５の長辺１５Ｌ方向）の間隙７０の幅は、外的要因により、ｔｘ１及びｔｘ２のうち大きい方のプリズムシートが最大限伸張した場合に、当該プリズムシートが枠状の第２の支持部材１６と接触しない大きさに設定される。
【００７３】
同様に、ｔｙ１とｔｙ２との値を比較して、そのうち大きい方の値を用いて、第１のプリズムシート１４の短辺１４ｄ方向（又は第２のプリズムシート１５の短辺１５ｄ方向）の間隙７０の幅を設定する。例えば、この場合、第１のプリズムシート１４の短辺１４ｄ方向（又は第２のプリズムシート１５の短辺１５ｄ方向）の間隙７０の幅は、外的要因により、ｔｙ１及びｔｙ２のうち大きい方のプリズムシートが最大限伸張した場合に、当該プリズムシートが枠状の第２の支持部材１６と接触しない大きさに設定される。
【００７４】
また、光学シート群７１が外的要因により最大限伸張した場合に、光学シート群７１と枠状の第２の支持部材１６とが接触しないことが必要である。そのためには、枠状の第２の支持部材１６の切り欠き部１６ｋの形状（又は深さｄｚ）は、間隙７０と光学シート群７１とが対向する形状（又は深さ）に形成されている必要がある。好適な例では、枠状の第２の支持部材１６の切り欠き部１６ｋの形状（又は深さｄｚ）は、間隙７０と光学シート群７１の各外周面及び導光板１２の外周面の少なくとも一部とが対向する形状（又は深さ）とすることが好ましい。
【００７５】
なお、上記では、第１のプリズムシート１４及び第２のプリズムシート１５を例に採り説明したが、拡散シート１３に対しても上記同様の計算を行う。こうして、光学シート群７１の長辺方向及び短辺方向の各々に対応する適切な間隙７０の幅が設定される。
【００７６】
以上のように、本発明では、上記した各パラメータを考慮して、光学シート群７１と、枠状の第２の支持部材１６の内周面との間に適切な大きさ（幅）の間隙７０が形成されるようにするため、第１のプリズムシート１４の長辺（第１縁辺）１４Ｌの長さｘ１と、第２の支持部材１６の第１側壁１６ｓａの長さｘ３との差（＝ｄｘ１の２倍の長さ）と、第１のプリズムシート１４の短辺（第２縁辺）１４ｄの長さｙ１と、第２の支持部材１６の第２側壁１６ｓｂの長さｙ３との差（＝ｄｙ１の２倍の長さ）をそれぞれ異ならせると共に、第２のプリズムシート１５の長辺（第３縁辺）１５Ｌの長さｘ２と、第２の支持部材１６の第１側壁１６ｓａの長さｘ３との差（＝ｄｘ２の２倍の長さ）と、第２のプリズムシート１５の短辺（第４縁辺）１５ｄの長さｙ２と、第２の支持部材１６の第２側壁１６ｓｂの長さｙ３との差（＝ｄｙ２の２倍の長さ）をそれぞれ異ならせる。
【００７７】
例えば、この照明装置５１では、平面領域における長辺方向と短辺方向とで異なる最大伸張量（又は伸び率や線膨張係数）を有する光学シート群７１と、光学シート群７１の各外周面と間隙７０を介して対向する内周面を有する枠状の第２の支持部材１６と、を備え、光学シート群７１の長辺方向における間隙７０の幅は、光学シート群７１の短辺方向における間隙７０の幅と異ならせる。
【００７８】
具体的に、第１実施形態では、上記した各パラメータを考慮して、光学シート群７１と、枠状の第２の支持部材１６の内周面との間に適切な大きさ（幅）の間隙７０が形成されるようにするため、第１のプリズムシート１４の長辺（第１縁辺）１４Ｌの長さｘ１と、第２の支持部材１６の第１側壁１６ｓａの長さｘ３との差（＝ｄｘ１の２倍の長さ）を、第１のプリズムシート１４の短辺（第２縁辺）１４ｄの長さｙ１と、第２の支持部材１６の第２側壁１６ｓｂの長さｙ３との差（＝ｄｙ１の２倍の長さ）より大きくすると共に、第２のプリズムシート１５の短辺（第４縁辺）１５ｄの長さｙ２と、第２の支持部材１６の第２側壁１６ｓｂの長さｙ３との差（＝ｄｙ２の２倍の長さ）を、第２のプリズムシート１５の長辺（第３縁辺）１５Ｌの長さｘ２と、第２の支持部材１６の第１側壁１６ｓａの長さｘ３との差（＝ｄｘ２の２倍の長さ）より大きくする。
【００７９】
好適な例では、光学シート群７１において、長辺方向及び短辺方向のうち、一方の方向の最大伸張量（又は伸び率や線膨張係数）は、他方の方向の最大伸張量（又は伸び率や線膨張係数）より大きく、当該一方の方向における間隙７０の幅は、当該他方の方向における間隙７０の幅より大きい。また、間隙７０の幅は、外的要因により光学シート群７１が最大限伸張した場合に、その伸張した光学シート群７１が枠状の第２の支持部材１６に接触しない大きさを有する。
【００８０】
この構成によれば、高温高湿の状況下で液晶装置１００を用いた場合、光学シート群７１は伸張するが、その場合でも、当該光学シート群７１の外周部は、間隙７０内に位置するに留まり、枠状の第２の支持部材１６と接触又は干渉することはない。よって、光学シート群７１と枠状の第２の支持部材１６との接触又は干渉による、光学シート群７１の変形（歪、撓み、シワなど）を防止できる。即ち、光学シート群７１の外形形状に制限を加えることなく、光学シート群７１の変形（歪、撓み、シワなど）を防止できる。また、この状態から常温常湿の状況下に戻った場合でも、光学シート群７１は変形することなく元のサイズに戻る。よって、光学シート群７１の変形による、液晶表示パネル５０の表示品位の低下を防止することができる。
【００８１】
さらに、この構成によれば、間隙７０を形成するために、枠状の第２の支持部材１６の内周面を必要以上に切り欠いて切り欠き部１６ｋを形成する必要がなくなるので、照明装置５１の剛性又は強度が低下するのを防止できると共に、照明装置５１と液晶表示パネル５０との固定領域（相互に固定するための接触領域）が減少することを防止できる。その結果、落下などの衝撃に対する照明装置５１及び液晶装置１００の強度低下を防止できる。また、間隙７０の幅は、上記した方法により設定され、必要以上に大きく設定されないので、間隙７０から光漏れが生じることによる輝度低下を抑制することができる。
【００８２】
また、第１実施形態では、光学シート群７１と対面する、第２の支持部材（枠体）１６の内壁（第１側壁１６ｓａ及び第２側壁１６ｓｂ）から液晶表示パネル５０の有効表示領域Ｖまでの距離ｄｖ１が、第１のプリズムシート１４の長辺（第１縁辺）１４Ｌの長さｘ１及び第２のプリズムシート１５の長辺（第３縁辺）１５Ｌの長さｘ２と、第２の支持部材１６の第１側壁１６ｓａの長さｘ３との差（＝ｄｘ１及びｄｘ２の２倍の長さ）、並びに、第１のプリズムシート１４の短辺（第２縁辺）１４ｄの長さｙ１及び第２のプリズムシート１５の短辺（第４縁辺）１５ｄの長さｙ２と、第２の支持部材１６の第２側壁１６ｓｂの長さｙ３との差（＝ｄｙ１及びｄｙ２の２倍の長さ）よりも夫々大きい。
【００８３】
これによれば、第１のプリズムシート１４及び第２のプリズムシート１５を、確実に有効表示領域Ｖに平面的に重ならせることができる。
【００８４】
[第２実施形態]
次に、図６を参照して、第２実施形態に係る光学シートの変形防止構造について説明する。
【００８５】
図６（ａ）は、図２（ａ）に対応する、第２実施形態に係る照明装置５１ａを有する液晶装置１００ａの要部断面図を示す。図６（ｂ）は、図２（ｂ）に対応する、第２実施形態に係る照明装置５１ａを有する液晶装置１００ａの要部断面図を示す。図６（ｃ）は、図２（ｃ）に対応する、第２実施形態に係る照明装置５１ａを有する液晶装置１００ａの要部断面図を示す。
【００８６】
第２実施形態では、光学シート群７１における各光学シートの最大変位量（最大伸張量）の違いを考慮して、第１のプリズムシート１４ａと第２のプリズムシート１５ａとで平面方向のサイズを変更している点が第１実施形態と異なり、それ以外は同様である。よって、以下では、第１実施形態と同一の要素については同一の符号を付し、その説明は適宜省略する。なお、拡散シート１３は、特定の方向に延在する光学軸を有しないので、第１のプリズムシート１４ａ及び第２のプリズムシート１５ａと比べて一般的に伸張量が小さい。よって、この例でも、拡散シート１３の平面方向におけるサイズについては変更しないこととする。
【００８７】
一般的に、プリズムシートは、そのプリズムの稜線の延在方向が、当該稜線の延在方向と直交する方向よりも伸張量又は伸び率が大きい。この点、第２実施形態に係る照明装置５１ａでは、第１のプリズムシート１４ａの各プリズム１４ｐの稜線１４ｐＬの延在方向は長辺（第１縁辺）１４Ｌ方向であると共に、第２のプリズムシート１５ａの各プリズム１５ｐの稜線１５ｐＬの延在方向は短辺（第４縁辺）１５ｄ方向である。このため、第１のプリズムシート１４ａは、長辺（第１縁辺）１４Ｌ方向が短辺（第２縁辺）１４ｄ方向より伸張量又は伸び率が大きいと共に、第２のプリズムシート１５ａは、短辺（第４縁辺）１５ｄ方向が長辺（第３縁辺）１５Ｌ方向より伸張量又は伸び率が大きい。
【００８８】
そこで、第２実施形態に係る照明装置５１ａでは、第１のプリズムシート１４ａの長辺（第１縁辺）１４Ｌの長さｘ１を、第２のプリズムシート１５ａの長辺（第３縁辺）１５Ｌの長さｘ２より短くすると共に、第２のプリズムシート１５ａの短辺（第４縁辺）１５ｄの長さｙ２を、第１のプリズムシート１４ａの短辺（第２縁辺）１４ｄの長さｙ１より短くする。
【００８９】
言い換えれば、この照明装置５１ａでは、図示しない光源側とは逆側に位置する第１のプリズムシート１４ａの長辺１４Ｌ方向の外周面が、第２のプリズムシート１５ａの長辺１５Ｌ方向の外周面より内側に位置するように、第１のプリズムシート１４ａの長辺１４Ｌ方向の外周面と、第２のプリズムシート１５ａの長辺１５Ｌ方向の外周面との位置を異ならせる。これにより、図示しない光源側とは逆側に位置する第１のプリズムシート１４ａの長辺１４Ｌ方向の外周面と、第２のプリズムシート１５ａの長辺１５Ｌ方向の外周面との間の距離（又は差分）はｄｍとなっている。
【００９０】
また、この照明装置５１ａでは、第２のプリズムシート１５ａの短辺１５ｄ方向の外周面が、第１のプリズムシート１４ａの短辺１４ｄ方向の外周面より内側に位置するように、第２のプリズムシート１５ａの短辺１５ｄ方向の外周面と、第１のプリズムシート１４ａの短辺１４ｄ方向の外周面との位置を異ならせている。これにより、第２のプリズムシート１５ａの短辺１５ｄ方向の外周面と、第１のプリズムシート１４ａの短辺１４ｄ方向の外周面との間の距離（又は差分）はｄｎとなっている。なお、距離ｄｍ、ｄｎは、光学シート群７１の平面方向への伸張量、伸び率及び線膨張係数、並びにそのサイズ、光学軸（例えば、プリズムの稜線など）などのパラメータを考慮して決定される。例えば、距離ｄｍ、ｄｎは、それぞれ、外的要因により第１のプリズムシート１４ａ及び第２のプリズムシート１５ａが最も伸張した場合に、略０となる値に設定されることが好ましい。
【００９１】
この構成によれば、高温高湿の状況下で液晶装置１００ａを用いた場合、光学シート群７１は伸張する。この場合、第１のプリズムシート１４ａの長辺（第１縁辺）１４Ｌ方向の伸張量は、第２のプリズムシート１５ａの長辺（第３縁辺）１５Ｌ方向の伸張量より大きく、第１のプリズムシート１４ａの長辺（第１縁辺）１４Ｌ方向の外周面、及び第２のプリズムシート１５ａの長辺（第３縁辺）１５Ｌ方向の外周面は、枠状の第２の支持部材１６に接触又は干渉しない範囲で間隙７０内に位置する。好適な例では、この場合に、第１のプリズムシート１４ａ及び第２のプリズムシート１５ａが最も伸張した場合に、上記の距離ｄｍが略０となるように設計することにより、第２のプリズムシート１５ａの長辺（第３縁辺）１５Ｌ方向の外周面と、第１のプリズムシート１４ａの長辺（第１縁辺）１４Ｌ方向の外周面とを、間隙７０内において略同一面上に位置させることができる。
【００９２】
同様に、この場合、第２のプリズムシート１５ａの短辺（第４縁辺）１５ｄ方向の伸張量は、第１のプリズムシート１４ａの短辺（第２縁辺）１４ｄ方向の伸張量より大きく、第２のプリズムシート１５ａの短辺（第４縁辺）１５ｄ方向の外周面、及び第１のプリズムシート１４ａの短辺（第２縁辺）１４ｄ方向の外周面は、枠状の第２の支持部材１６に接触又は干渉しない範囲で間隙７０内に位置する。好適な例では、この場合に、第１のプリズムシート１４ａ及び第２のプリズムシート１５ａが最も伸張した場合に、上記の距離ｄｎが略０となるように設計することにより、第２のプリズムシート１５ａの短辺（第４縁辺）１５ｄ方向の外周面と、第１のプリズムシート１４ａの短辺（第２縁辺）１４ｄ方向の外周面とを、間隙７０内において略同一面上に位置させることができる。
【００９３】
よって、光学シート群７１と枠状の第２の支持部材１６との接触又は干渉による、光学シート群７１の変形（歪、撓み、シワなど）を防止できる。また、この状態から常温常湿の状況下に戻った場合でも、光学シート群７１は変形することなく元のサイズに戻る。よって、光学シート群７１の変形による、液晶表示パネル５０の表示品位の低下を防止することができる。
【００９４】
さらに、この構成によれば、第１のプリズムシート１４ａ及び第２のプリズムシート１５ａにおいて、伸張量の最も大きい側の外周面（本例では長辺１４Ｌ方向の外周面及び短辺１５ｄ方向の外周面）を、それぞれ、伸張量の小さい側の外周面（本例では短辺１４ｄ方向の外周面及び長辺１５Ｌ方向の外周面）より内側に位置させるようにしているので、必要以上に間隙７０の幅を大きくする必要がなくなる。即ち、この構成によれば、間隙７０を形成するために、枠状の第２の支持部材１６の内周面を必要以上に切り欠いて切り欠き部１６ｋを形成する必要がなくなるので、照明装置５１ａの剛性又は強度がより低下するのを防止できると共に、照明装置５１ａと液晶表示パネル５０との固定領域（相互に固定するための接触領域）がより減少することを防止できる。その結果、落下などの衝撃に対する照明装置５１ａ及び液晶装置１００ａの強度低下をより防止できる。また、間隙７０の幅は、上記した第１実施形態と同様の方法により設定され、必要以上に大きく設定されないので、間隙７０から光漏れが生じることによる輝度低下をより抑制することができる。
【００９５】
また、第２実施形態では、光学シート群７１と対面する、第２の支持部材（枠体）１６の内壁（第１側壁１６ｓａ及び第２側壁１６ｓｂ）から液晶表示パネル５０の有効表示領域Ｖまでの距離ｄｖ１が、第２のプリズムシート１５の長辺（第３縁辺）１５Ｌの長さｘ２と、第２の支持部材１６の第１側壁１６ｓａの長さｘ３との差（＝ｄｘ２の２倍の長さ）、並びに、第１のプリズムシート１４の短辺（第２縁辺）１４ｄの長さｙ１と、第２の支持部材１６の第２側壁１６ｓｂの長さｙ３との差（＝ｄｙ１の２倍の長さ）よりも夫々大きい。また、第２実施形態では、液晶表示パネル５０の外縁（外周面）から有効表示領域Ｖまでの距離ｄｖ２が、第１のプリズムシート１４の長辺（第１縁辺）１４Ｌの長さｘ１と、第２のプリズムシート１５の長辺（第３縁辺）１５Ｌの長さｘ２との差（ｄｍを２倍した長さに相当）、並びに、第１のプリズムシート１４の短辺（第２縁辺）１４ｄの長さｙ１と、第２のプリズムシート１５の短辺（第４縁辺）１５ｄの長さｙ２との差（ｄｎを２倍した長さに相当）より夫々大きいことが好ましい。これらによれば、第１のプリズムシート１４及び第２のプリズムシート１５を、確実に有効表示領域Ｖに平面的に重ならせることができる。
【００９６】
[変形例]
本発明は、上記の各実施形態に係る照明装置の構成に限定されるものではなく、その趣旨を逸脱しない範囲において種々の変形をすることが可能である。
【００９７】
例えば、上記の第１及び第２実施形態では、第１のプリズムシート１４、１４ａの各プリズム１４ｐの稜線１４ｐＬが長辺１４Ｌと平行な方向に延在方向していると共に、第２のプリズムシート１５、１５ａの各プリズム１５ｐの稜線１５ｐＬが短辺１５ｄと平行な方向に延在方向していた。これに限らず、本発明では、第１のプリズムシート１４、１４ａ及び第２のプリズムシート１５、１５ａの各プリズムの稜線は、長辺１４Ｌ、１５Ｌ又は短辺１４ｄ、１５ｄに対して斜め方向に延在方向している構成であってもよい。こうした構成を有する変形例について、図７を参照して説明する。
【００９８】
図７（ａ）は、変形例に係る第１のプリズムシート１４ｂの構成を示す平面図である。なお、図７（ａ）において、第１のプリズムシート１４ｂの各プリズム１４ｐの稜線１４ｐＬと直交する方向Ｆ−Ｆ’に沿った各プリズム１４ｐの断面構成は、図４（ａ）における第１のプリズムシート１４の切断線Ｄ−Ｄ’に沿った各プリズム１４ｐの断面構成と同様である。図７（ｂ）は、変形例に係る第２のプリズムシート１５ｂの構成を示す平面図である。なお、図７（ｂ）において、第２のプリズムシート１５ｂの各プリズム１５ｐの稜線１５ｐＬと直交する方向Ｆ−Ｆ’に沿った各プリズム１５ｐの断面構成は、図４（ｂ）における第２のプリズムシート１５の切断線Ｄ−Ｄ’に沿った各プリズム１５ｐの断面構成と同様である。
【００９９】
変形例に係る照明装置では、第１のプリズムシート１４ｂ及び第２のプリズムシート１５ｂを除き、その他の構成は第１及び第２実施形態と同様である。よって、以下では、第１のプリズムシート１４ｂ及び第２のプリズムシート１５ｂの構成についてのみ説明する。
【０１００】
具体的に、変形例に係る第１のプリズムシート１４ｂでは、その各プリズム１４ｐの稜線１４ｐＬの延在方向が斜め方向、即ち短辺１４ｄに対して反時計回りに角度θ[°]をなしていると共に、第２のプリズムシート１５ｂでは、その各プリズム１５ｐの稜線１５ｐＬの延在方向が斜め方向、即ち短辺１５ｄに対して時計回りに角度θ[°]をなしている。
【０１０１】
ここで、第１のプリズムシート１４ｂ及び第２のプリズムシート１５ｂは、各プリズム１４ｐ、１５ｐの稜線１４ｐＬ、１５ｐＬが斜め方向に延在しているので、短辺１４ｄ、１５ｄをそれぞれ基準線とした場合における当該短辺１４ｄ、１５ｄと稜線１４ｐＬ、１５ｐＬとのなす角度θの採り得る値によって、第１のプリズムシート１４ｂ及び第２のプリズムシート１５ｂにおける伸張量の方向が変化する。
【０１０２】
例えば、第１のプリズムシート１４ｂ及び第２のプリズムシート１５ｂにおいて、短辺１４ｄ、１５ｄからそれぞれ時計回り及び反時計回りに稜線１４ｐＬ、１５ｐＬまでの角度θ（以下同様の意味で用いる）を４５[°]とした場合、第１のプリズムシート１４ｂの各プリズム１４ｐの稜線１４ｐＬの延在方向（第１方向）に沿ったベクトル１４ｖのベクトル成分は、長辺（第１縁辺）１４Ｌ方向と短辺（第２縁辺）１４ｄ方向とで略同一になると共に、第２のプリズムシート１５ｂの各プリズム１５ｐの稜線１５ｐＬの延在方向（第２方向）に沿ったベクトル１５ｖのベクトル成分は、短辺（第４縁辺）１５ｄ方向と長辺（第３縁辺）１５Ｌ方向とで略同一になる。よって、この場合、第１のプリズムシート１４ｂの長辺（第１縁辺）１４Ｌにおける伸張量と第１のプリズムシート１４ｂの短辺（第２縁辺）１４ｄにおける伸張量は略同一になると共に、第２のプリズムシート１５ｂの長辺（第３縁辺）１５Ｌにおける伸張量と第２のプリズムシート１５ｂの短辺（第４縁辺）１５ｄにおける伸張量は略同一になる。
【０１０３】
また、第１のプリズムシート１４ｂ及び第２のプリズムシート１５ｂにおいて、４５[°]＜角度θ＜９０[°]とした場合、第１のプリズムシート１４ｂの各プリズム１４ｐの稜線１４ｐＬの延在方向（第１方向）に沿ったベクトル１４ｖのベクトル成分は、長辺（第１縁辺）１４Ｌ方向が短辺（第２縁辺）１４ｄ方向より大きくなると共に、第２のプリズムシート１５ｂの各プリズム１５ｐの稜線１５ｐＬの延在方向（第２方向）に沿ったベクトル１５ｖのベクトル成分は、長辺（第３縁辺）１５Ｌ方向が短辺（第４縁辺）１５ｄ方向より大きくなる。よって、この場合、第１のプリズムシート１４ｂの長辺（第１縁辺）１４Ｌにおける伸張量は第１のプリズムシート１４ｂの短辺（第２縁辺）１４ｄにおける伸張量より大きくなると共に、第２のプリズムシート１５ｂの長辺（第３縁辺）１５Ｌにおける伸張量は、第２のプリズムシート１５ｂの短辺（第４縁辺）１５ｄにおける伸張量より大きくなる。
【０１０４】
また、第１のプリズムシート１４ｂ及び第２のプリズムシート１５ｂにおいて、０[°]＜角度θ＜４５[°]とした場合、第１のプリズムシート１４ｂの各プリズム１４ｐの稜線１４ｐＬの延在方向（第１方向）に沿ったベクトル１４ｖのベクトル成分は、短辺（第２縁辺）１４ｄ方向が長辺（第１縁辺）１４Ｌ方向より大きくなると共に、第２のプリズムシート１５ｂの各プリズム１５ｐの稜線１５ｐＬの延在方向（第２方向）に沿ったベクトル１５ｖのベクトル成分は、短辺（第４縁辺）１５ｄ方向が長辺（第３縁辺）１５Ｌ方向より大きくなる。よって、この場合、第１のプリズムシート１４ｂの短辺（第２縁辺）１４ｄにおける伸張量は、第１のプリズムシート１４ｂの長辺（第１縁辺）１４Ｌにおける伸張量より大きくなると共に、第２のプリズムシート１５ｂの短辺（第４縁辺）１５ｄにおける伸張量は、第２のプリズムシート１５ｂの長辺（第３縁辺）１５Ｌにおける伸張量より大きくなる。
【０１０５】
このように、こうした構成を有する変形例の第１のプリズムシート１４ｂ及び第２のプリズムシート１５ｂでは、外的要因により各プリズムの稜線１４ｐＬ、１５ｐＬ方向（斜め方向）に伸び易くなる。よって、この場合は、第１のプリズムシート１４ｂ及び第２のプリズムシート１５ｂに係る、長辺１４Ｌ、１５Ｌ方向の線膨張係数、及び短辺１４ｄ、１５ｄ方向の線膨張係数をそれぞれ周知の計算方法（第１のプリズムシート１４ｂ及び第２のプリズムシート１５ｂの伸びる方向のベクトル合成等）にて求めておけば、上記した式１〜式４に基づき、第１のプリズムシート１４ｂの長辺１４Ｌ方向の最大変位量ｔｘ２、第１のプリズムシート１４ｂの短辺１４ｄ方向の最大変位量ｔｙ２、第２のプリズムシート１５ｂの長辺１５Ｌ方向の最大変位量ｔｘ４、第２のプリズムシート１５ｂの短辺１５ｄ方向の最大変位量ｔｙ４をそれぞれ算出することができる。そして、上記した第１実施形態で述べた方法により、変形例に係る光学シート群７１の長辺方向及び短辺方向の各々に対応する適切な間隙７０の幅が設定される。これにより、第１及び第２実施形態と同様の作用効果を得ることができる。
【０１０６】
[電子機器]
次に、上記した各実施形態に係る照明装置５１、５１ａ、或いは上記した変形例に係る照明装置のうちの何れかの照明装置を備える液晶装置（以下、代表して「液晶装置１０００」と称する）を備える電子機器の具体例について図８を参照して説明する。
【０１０７】
まず、本発明に係る液晶装置１０００を、可搬型のパーソナルコンピュータ（いわゆるノート型パソコン）の表示部に適用した例について説明する。図８（ａ）は、このパーソナルコンピュータの構成を示す斜視図である。同図に示すように、パーソナルコンピュータ７１０は、キーボード７１１を備えた本体部７１２と、本発明に係る液晶装置１０００を適用した表示部７１３とを備えている。
【０１０８】
続いて、本発明に係る液晶装置１０００を、携帯電話機の表示部に適用した例について説明する。図８（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０００を適用した表示部７２４を備える。
【０１０９】
なお、本発明に係る液晶装置１０００を適用可能な電子機器としては、図８（ａ）に示したパーソナルコンピュータや図８（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【０１１０】
【図１】本発明の第１実施形態に係る照明装置を備える液晶装置の構成を示す平面図。
【図２】図１の各切断線に沿った液晶装置の構成を示す各要部断面図。
【図３】第１実施形態に係る第１及び第２のプリズムシートの構成を示す各平面図。
【図４】第１及び第２のプリズムシートの各プリズムを横断する方向の各断面図。
【図５】第１及び第２のプリズムシートを収容する第２の支持部材（枠体）の平面図。
【図６】図２に対応する、第２実施形態に係る液晶装置の構成を示す各要部断面図。
【図７】変形例に係る第１及び第２のプリズムシートの構成を示す各平面図。
【図８】本発明の照明装置を有する液晶装置を備える電子機器の斜視図。
【符号の説明】
【０１１１】
１２  導光板、  １３  拡散シート、  １４、１４ａ、１４ｂ  第１のプリズムシート、  １５、１５ａ、１５ｂ  第２のプリズムシート、  １６  第２の支持部材（枠体）、  １６ｋ  切り欠き部、  ５０  液晶表示パネル、  ５１、５１ａ  照明装置、  ７０  間隙、  ７１  光学シート群、  １００、１００ａ  液晶装置（電気光学装置）
【図１】
2010073458.tif 000003
【図２】
2010073458.tif 000004
【図３】
2010073458.tif 000005
【図４】
2010073458.tif 000006
【図５】
2010073458.tif 000007
【図６】
2010073458.tif 000008
【図７】
2010073458.tif 000009
【図８】
2010073458.tif 000010